(57)【特許請求の範囲】
【請求項１】
軸２０に圧縮バネ２２を巻装し、該圧縮バネ２２の一方側を受座２３を介して受け止めると共に、軸の他方側にバネの圧力をかけるようにしたバネ圧調整装置において、上記圧縮バネ２２の他方側の受座２３に接当し、軸２０を囲繞するストッパ２４を設け、該ストッパ２４は、側面視略コ字形状となす中央部に軸２０を挿通する穴２４ｃを設けると共に、その穴２４ｃに向かう先端が斜め下方に向けて突出する左右一対の挟持部２４ｄ，２４ｄを設けており、さらに、この挟持部２４ｄ，２４ｄの前記突出する方向と反対側の上方に向かう両側面の立て板部はつまみ部２４ｂ，２４ｂを成しており、上記左右のつまみ部２４ｂ，２４ｂを指でつまむと、ストッパ２４の左右一対の挟持部２４ｄ，２４ｄが軸２０から離れ、指を離すと左右一対の挟持部２４ｄ，２４ｄが軸２０を挟持する構成として、上記ストッパ２４の軸２０に対する止着位置を調節自在としたことを特徴とするバネ圧調整装置。
【発明の詳細な説明】
【０００１】
【発明の属する技術分野】
本発明は、各種の固定具等に応用が可能なバネ圧調整装置に関するものである。
【０００２】
【従来の技術】
従来、この種バネ圧調整装置においては、図１１乃至１２に示される如く、軸２０に多数の角溝２５′を設けると共に、ストッパ２４′にカム式のものを用いて、軸２０に巻装した圧縮バネ２２とは別個のバネの圧力により、カム式ストッパ２４′のプレートを上記角溝２５′に弾圧して止着するか、又は、図示してないが、軸に大きなＵ溝を設け、該溝にバネ圧式のボールを落し込んで止着するもの、更には軸に多数の穴を設け、Ｒピン等を抜き差しして止着するもの等があった。
【０００３】
【発明が解決しようとする課題】
しかしながら、上記従来技術の軸に溝を設ける方式のものは、いずれも溝加工に手数がかかるばかりか、これに止着するストッパの機構も複雑で、製作コストが高く付き、しかも、軸に大きな溝を製作する関係上、強度面から不利にならぬように軸の径を大きくしたり、丸棒材を使用する等、コストや重量面から不利となっていた。
また、軸に穴を開ける方式のものでは、バネ圧調節の都度ピンの抜き差しを要するので操作が煩わしく、作業効率が悪い。
本発明の目的は、上記従来の不具合を改善する点にある。
【０００４】
【課題を解決するための手段】
上記目的を達成するため、本発明においては、軸に圧縮バネを巻装し、該圧縮バネの一方側を受座を介して受け止めると共に、軸の他方側にバネの圧力をかけるようにしたバネ圧調整装置において、上記圧縮バネの他方側の受座に接当し、軸を囲繞するストッパを設け、該ストッパは、側面視略コ字形状となす中央部に軸を挿通する穴を設けると共に、その穴に向かう先端が斜め下方に向けて突出する左右一対の挟持部を設けており、さらに、この挟持部の前記突出する方向と反対側の上方に向かう両側面の立て板部はつまみ部を成しており、上記左右のつまみ部を指でつまむと、ストッパの左右一対の挟持部が軸から離れ、指を離すと左右一対の挟持部が軸を挟持する構成として、上記つまみ部をつまむことにより、上記ストッパの軸に対する止着位置を調節自在としたことを特徴とする。
【０００８】
【発明の実施の形態】
本発明の実施の形態の一例を以下の図面に基づいて説明する。
図１は、走行機体の後部にロータリ作業機を装着した全体側面図、図２は一部を省略したロータリ作業機の全体斜視図であって、１は走行機体、２はロータリ作業機で、該ロータリ作業機２は、従来のものと同様にオートヒッチ３により、前部中央上部のトップマスト４と両側部に設けた装着点（図示なし）の３点で、走行機体１の後部に装着され、走行機体１のＰＴＯ軸５によって所定の動力を伝えて、耕耘作業等のロータリ作業を行うようになっている。
【０００９】
ロータリ作業機２は、上記トップマスト４の下部にギヤケース６を設け、後方上部には尾輪や畝立器を装着するための作業機の幅方向に延びたツールバー７を、上下に調節するネジ式の調節装置８を上記トップマスト４に設けている。
そして、上記ギヤケース６の両側面に左右一対のアーム９，９′を固設し、その左端にはチェンケース１０を固設して、多数の耕耘爪１１・・を固設した爪軸（図示なし）を、上記チェンケース１０下部の駆動側軸受部と、右端のサイドプレート１２下部に固設した受動側軸受ブラケット（図示なし）との間に装着して、耕耘爪１１・・を適宜の速度で回転させることにより、作業を行うように構成している。
【００１０】
次に、ロータリ作業機２のカバー構造は、メーンカバー１４の後端部に、側断面で袋状の中間カバー１５を回動自在に軸着し、更にその後端部に下方に向けたリヤカバー１６を軸着しており、上記メーンカバー１４の中央部分は上面に固設したブラケット１７にロッド１８を介して上記トップマスト４に設けた操作レバー１９に連結され、該操作レバー１９を前後に回動させることにより、メーンカバー１４が前後に回動する。
また、中間カバー１５の上面左右２箇所には上記リヤカバー１６を吊りロッド２０を介して支持するブラケット１５ａが固設され、該ブラケット１５ａは側面視（図１）では逆へ字状のプレート１５ｂに載せ固定させている。そして、該プレート１５ｂは上記吊りロッド２０を介してかかってくる加重を支える補強板となると共に、上記リヤカバー１６が回動し過ぎないようにするストッパを兼ねている。
【００１１】
更に、上記吊りロッド２０の詳細について、図３乃至１０について説明するに、図３で、吊りロッド（軸）２０には圧縮バネ２２が巻装され、該圧縮バネ２２は上下の受座２３，２３を介して上下にスライド可能で、その下部には板バネ材で構成されたストッパ２４が下部の受座２３に接当して吊りロッド２０を囲繞している。
なお、上記圧縮バネ２２は、これに代えて圧縮スプリング，圧縮弾機等これと同等の作用効果を奏するものであれば、他のものでも良いことは勿論である。
【００１２】
上記ストッパ２４は図４乃至５に示す如く、側面視略コ字形状となっており、その下面は受座部２４ａを成し、両側面の立て板部はつまみ部２４ｂ，２４ｂを成しており、受座部２４ａを下面（図７）から見ると、中央部に吊りロッド２０を挿通する穴２４ｃを設けると共に、左右に一対の挟持部２４ｄ，２４ｄを設けており、図５の如く指で左右のつまみ部２４ｂ，２４ｂをつまむとストッパ２４の下面受座部２４ａが湾曲して挟持部２４ｄ，２４ｄが吊りロッド２０から離れ、指を離すと挟持部２４ｄ，２４ｄが吊りロッド２０を挟持する構成となっている。
そして、この挟持部２４ｄは先端が斜め下方に向けて突出していることにより、圧縮スプリング２２によりストッパ２４が下方に押されれば、吊りロッド２０に左右の挟持部２４ｄ，２４ｄが食い込んで固定され、ストッパ２４を上方に押した場合には吊りロッド２０上をスライド可能となるように構成されている。
【００１３】
また、図６の如く、ストッパ２４の受座部２４ａを下方受座２３の外周部のみがストッパ２４と接当し、受座２３の中央部側に隙間を設けた構成にすると、斜め下方に向けた挟持部２４ｄが吊りロッド２０に食い込み易くなり、ストッパ２４の位置の固定がより確実となる。
【００１４】
更に、図９乃至１０の如く、吊りロッド２０を肉薄パイプ材とし、適宜箇所に極小さい溝２５・・をプレス成形により設けると、ストッパ２４の位置の固定がより一層確実となり、溝２５がストッパ２４の位置調節の目安となるが、各溝２５・・の周辺に目盛り等の符号を付すと左右の吊りロッド２０のバネ圧を迅速に均等に出来て、バネ圧の調整作業が効率よく行われるのは勿論のことである。
この場合には、極小さい溝２５でストッパ２４位置の固定が出来るので、薄肉パイプ材のプレス成形品で出来、軽量で製作コストも安く、比較的強度も強いものとなる。
【００１５】
本発明のバネ圧調整装置は、以上のような構成よりなっており、オペレータはロータリ作業を開始する前に、圃場条件等に合わせて予めリヤカバー１６の左右のバネ圧を設定する必要があるが、この際には、ストッパ２４の両つまみ部２４ｂ，２４ｂを図５の如くつまんで受座部２４ａを湾曲させると、挟持部２４ｄが吊りロッド（軸）２０の挟持を解除して、ストッパ２４が任意の位置に止着できる状態となる。そこで、適宜の位置でつまみ部２４ｂを離すと挟持部２４ｄが吊りロッド２０に食い込んでストッパ２４位置が固定される。
【００１６】
この状態で作業を開始し、作業精度等適切であればリヤカバー１６の左右のバネ圧を変更する必要はないが、耕耘圃場の表面とリヤカバー１６下端との間に隙間ができたり、リヤカバー１６の内側に耕耘土塊等が沢山溜まって作業抵抗が大となるような場合等、リヤカバー１６の耕耘圃場面に対するバネ圧が不適切な場合には、オペレータはバネ圧を調節する必要がある。この時には再度上記両つまみ部２４ｂ，２４ｂをつまんで挟持部２４ｄの吊りロッド２０との挟持を解除して、適切な位置でつまみ部２４ｂを離すと挟持部２４ｄが吊りロッド２０に食い込んでストッパ２４位置が固定される。
【００１７】
このことより、本発明の吊りロッド（軸）２０は、加工が不要であり、製作コストが安くなると共に、これに止着するストッパ２４装置は、構成が簡単であるので、故障も少なく製作コストが安くできる上、バネ圧の調整操作が迅速・容易に出来る。そして、任意の位置でストッパ２４のセットが可能となり、しかも、全体として軽量化できる。
【００１８】
また、上記ストッパ２４の受座部２４ａを、受座２３の外周部のみがストッパ２４と接当し、受座２３の中央部に隙間を設けた（図６）場合には、ストッパ２４の吊りロッド２０に対する挟持効果が大きく、固定力が増す。
更に、吊りロッド（軸）２０の任意の位置数箇所に溝加工を施した（図９，１０）場合には、溝２５が非常に浅く小さいものであっても、確実にストッパ２４の固定が可能となり、強度上も有利で、加工コストも安く、しかも、左右の吊りロッド２０のバネ圧を迅速に均等に出来て、バネ圧の調整作業が効率よく行われる。
更にまた、吊りロッド（軸）２０を薄肉パイプとし、溝加工をプレス成形加工とした（図９，１０）場合には、溝加工が浅く小さいものでもストッパ２４を吊りロッド（軸）２０に確実に固定出来、しかも軽量化が図られて、製作コストを安く出来る。
【００１９】
なお、本発明のバネ圧調整装置は、ロータリー作業機２のリヤカバー吊りロッド２０に採用した一例を示したが、それ以外の各種の固定具等に適用が可能であることは、言うまでもない。
【００２０】
【発明の効果】
本発明は、前記の如く、軸２０に圧縮バネ２２を巻装し、該圧縮バネ２２の一方側を受座２３を介して受け止めると共に、軸の他方側にバネの圧力をかけるようにしたバネ圧調整装置において、上記圧縮バネ２２の他方側の受座２３に接当し、軸２０を囲繞するストッパ２４を設け、該ストッパ２４は、側面視略コ字形状となす中央部に軸２０を挿通する穴２４ｃを設けると共に、その穴２４ｃに向かう先端が斜め下方に向けて突出する左右一対の挟持部２４ｄ，２４ｄを設けており、さらに、この挟持部２４ｄ，２４ｄの前記突出する方向と反対側の上方に向かう両側面の立て板部はつまみ部２４ｂ，２４ｂを成しており、上記左右のつまみ部２４ｂ，２４ｂを指でつまむと、ストッパ２４の左右一対の挟持部２４ｄ，２４ｄが軸２０から離れ、指を離すと左右一対の挟持部２４ｄ，２４ｄが軸２０を挟持する構成として、上記つまみ部２４ｂをつまむことにより、上記ストッパ２４の軸２０に対する止着位置を調節自在としたので、吊りロッド（軸）２０は、加工が不要で、製作コストが安くなると共に、これに止着するストッパ２４装置は、構成が簡単で、故障も少なく製作コストが安くできる上、バネ圧の調整操作が迅速・容易で且つ、任意の位置でストッパ２４のセットが可能となり、しかも、全体として軽量化できる等の効果がある。
【００２１】
また、上記ストッパ２４の受座部２４ａを、受座２３の外周部のみがストッパ２４と接当し、受座２３の中央部に隙間を設けた場合には、ストッパ２４の吊りロッド２０に対する挟持効果が大きく、固定力が増すものである。
更に、吊りロッド（軸）２０の任意の位置数箇所に溝加工を施した場合には、溝２５が非常に浅く小さいものであっても、確実にストッパ２４の固定が可能となり、強度上有利で、加工コストも安く、しかも、左右の吊りロッド２０のバネ圧を均等に出来て、バネ圧の調整作業が効率よく行われるものである。
更にまた、吊りロッド（軸）２０を薄肉パイプとし、溝加工をプレス成形加工とした場合には、溝加工が浅く小さいものでも確実に固定が出来、しかも軽量化が図られて、製作コストを安く出来るものである。
要するに、本発明は上記記載の如く、各種の実用的作用効果を多々奏するものである。
【図面の簡単な説明】
【図１】走行機体の後部にロータリ作業機を装着した全体側面図である。
【図２】一部を省略したロータリ作業機の全体斜視図である。
【図３】吊りロッド（軸）部の側面一部断面図である。
【図４】要部の拡大断面図で、ストッパの固定状態を示す。
【図５】同上ストッパの挟持解除状態を示す。
【図６】同上ストッパの固定状態の他例を示す。
【図７】ストッパ部の下面図である。
【図８】同上側面図である。
【図９】吊りロッド（軸）部の他例の側面一部断面図である。
【図１０】同上図９の一部拡大断面図である。
【図１１】従来例の吊りロッド（軸）部の側面一部断面図である。
【図１２】同上ストッパ部の下面図である。
【符号の説明】
２    ロータリ作業機
１５  中間カバー
１５ａ  ブラケット
１５ｂ  プレート
１６  リヤカバー
２０  吊りロッド
２２  圧縮バネ
２３  受座
２４  ストッパ
２４ａ  受座部
２４ｂ  つまみ部
２４ｃ  穴
２４ｄ  挟持部
２５  溝
【図１】
0004113325.tif 000002
【図２】
0004113325.tif 000003
【図３】
0004113325.tif 000004
【図４】
0004113325.tif 000005
【図５】
0004113325.tif 000006
【図６】
0004113325.tif 000007
【図７】
0004113325.tif 000008
【図８】
0004113325.tif 000009
【図９】
0004113325.tif 000010
【図１０】
0004113325.tif 000011
【図１１】
0004113325.tif 000012
【図１２】
0004113325.tif 000013